(57)【要約】      （修正有）【課題】他の地域の海洋の生態系への悪影響や漁業被害を防止しでき、また、バラスト水タンク内壁面への生物付着も防止できる船舶バラスト水浄化処理システムを提供する。【解決手段】本船舶バラスト水浄化処理システムは、船舶外から海水Ｗ０をバラスト水管路系統４に導き、バラスト水管路系統４に配置した処理装置５を通過させることで浄化処理してバラスト水タンク３に注水し、又は船舶のバラスト水タンク３からバラスト水Ｗをバラスト水管路系統４に導き、処理装置５を通過させることで浄化処理して船舶外に排水する船舶バラスト水浄化処理システム１であって、処理装置５は、管体に棒状の希土類系磁性体による磁石を隣り同士反対の磁極が向き合うように配列したマグネットアレイを、流れ方向に沿った状態で内装することにより構成した磁気処理ユニット１５と、海水又はバラスト水の抗菌処理を行う、抗菌処理ユニット１６とを主要な要素としたものである。【選択図】図２
0003170235.tif 000002
【実用新案登録請求の範囲】
【請求項１】
船舶外から海水をバラスト水管路系統に導き、バラスト水管路系統に配置した処理装置を通過させることで浄化処理してバラスト水タンクに注水し、又は船舶のバラスト水タンクからバラスト水をバラスト水管路系統に導き、バラスト水管路系統に配置した処理装置を通過させることで浄化処理して船舶外に排水する船舶バラスト水浄化処理システムであって、
前記処理装置は、海水又はバラスト水を通過させる管体内に、棒状の希土類系磁性体による永久磁石を隣り同士反対の磁極が向き合うように配列したマグネットアレイを、流れ方向に沿った状態で内装することにより構成されて、前記管体内を通過させるバラスト水の磁気処理を行なう磁気処理ユニットと、
海水又はバラスト水を通過させる管体に超微細純銀粒子を担持担体各種素材表面に静電吸着により担持した超微細純銀微粒子担持担体各種素材により構成した白御影石純銀微粒子担持体を内装することにより構成されて前記管体内を通過させる海水又はバラスト水の抗菌処理を行う、前記白御影石純銀微粒子担持体を組み込んだ抗菌処理ユニットと、
を有することを特徴とする船舶バラスト水浄化処理システム。
【請求項２】
船舶外から海水をバラスト水管路系統に導き、バラスト水管路系統に配置した処理装置を通過させることで浄化処理してバラスト水タンクに注水し、又は船舶のバラスト水タンクからバラスト水をバラスト水管路系統に導き、バラスト水管路系統に配置した処理装置を通過させることで浄化処理して船舶外に排水する船舶バラスト水浄化処理システムであって、
前記バラスト水管路系統は、船舶外からの海水又はバラスト水タンクからのバラスト水吸引用のポンプと、船舶外からの海水又はバラスト水タンクからのバラスト水を切り替えて前記ポンプに導く第１切替弁と、
前記処理装置を経た海水をバラスト水タンクに導く又は処理装置を経たバラスト水を船舶外に導く第２切替弁と、を具備し、
前記船舶の操舵室に前記第１切替弁、第２切替弁をバラスト水タンクへの注水又は船舶外への放水に切り替える切替操作部を備え、
前記処理装置は、
前記バラスト水管路系統の途中に配置されるとともに、海水又はバラスト水を通過させる管体内に、棒状の希土類系磁性体による永久磁石を隣り同士反対の磁極が向き合うように配列したマグネットアレイを、流れ方向に沿った状態で内装することにより構成されて、前記管体内を通過させる海水又はバラスト水の磁気処理を行なう磁気処理ユニットと、
海水又はバラスト水を通過させる管体に超微細純銀粒子を担持担体各種素材表面に静電吸着により担持した超微細純銀微粒子担持担体各種素材により構成した白御影石純銀微粒子担持体を内装することにより構成されて前記管体内を通過させる海水又はバラスト水の抗菌処理を行う、前記白御影石純銀微粒子担持体を組み込んだ抗菌処理ユニットと、
を有することを特徴とする船舶バラスト水浄化処理システム。
【請求項３】
船舶外から海水をバラスト水管路系統に導き、バラスト水管路系統に配置した処理装置を通過させることで浄化処理してバラスト水タンクに注水し、又は船舶のバラスト水タンクからバラスト水をバラスト水管路系統に導き、バラスト水管路系統に配置した処理装置を通過させることで浄化処理して船舶外に排水する船舶バラスト水浄化処理システムであって、
前記バラスト水管路系統は、船舶外からの海水又はバラスト水タンクからのバラスト水吸引用のポンプと、船舶外からの海水又はバラスト水タンクからのバラスト水を切り替えて前記ポンプに導く第１切替弁と、
前記処理装置を経た海水をバラスト水タンクに導く又は処理装置を経たバラスト水を船舶外に導く第２切替弁と、
前記第１切替弁に接続した海水吸引用パイプ及びバラスト水吸引用パイプと、
前記第２切替弁に接続したバラスト水注水用パイプ及び排水用パイプと、
を具備し、
前記船舶の操舵室に前記第１切替弁、第２切替弁をバラスト水タンクへの注水又は船舶外への放水に切り替える切替操作部を備え、
前記処理装置は、
前記バラスト水管路系統の途中に配置されるとともに、海水又はバラスト水を通過させる管体内に、棒状の希土類系磁性体による永久磁石を隣り同士反対の磁極が向き合うように配列したマグネットアレイを、流れ方向に沿った状態で内装することにより構成されて、前記管体内を通過させる海水又はバラスト水の磁気処理を行なう磁気処理ユニットと、
海水又はバラスト水を通過させる管体に超微細純銀粒子を担持担体各種素材表面に静電吸着により担持した超微細純銀微粒子担持担体各種素材により構成した白御影石純銀微粒子担持体を内装することにより構成されて前記管体内を通過させる海水又はバラスト水の抗菌処理を行う、前記白御影石純銀微粒子担持体を組み込んだ抗菌処理ユニットと、
前記バラスト水管路系統を通過させる海水又はバラスト水の濾過ユニットと、
を有することを特徴とする船舶バラスト水浄化処理システム。
【考案の詳細な説明】
【技術分野】
【０００１】
本考案は、一定地域の微生物等のような生物の他の地域への拡散を防止し、他の地域の海洋の生態系への悪影響や漁業被害を防止し得る船舶バラスト水浄化処理システムに関するものである。
【背景技術】
【０００２】
近年、船舶の航海時において海洋環境保全のために船内のタンクに貯留するバラスト水の処理が問題となっている。
【０００３】
バラスト水は、船舶が空荷状態の場合においても安全に航行するために船内のタンクに貯留する海水であり、このようなバラスト水は出港時に付近の海域から取水し、そのまま海洋を航海し、例えば他国の港へ入港し積荷を積載する際にその海洋へ排水されることになる。
【０００４】
このようにバラスト水が取水した海域と異なる海域に排水されると、海水中の生物が本来の生息地でない海域に移動させられることとなり、海洋の生態系に大きな影響を及ぼすこととなる。
【０００５】
このため、２００４年２月には、国際海事機関において、「船舶のバラスト水及び沈殿物の規制及び管理」のための国際条約が採択され、今後は当該条約内容に沿ってバラスト水を浄化処理することが求められる。
【０００６】
このような分野のバラスト水を浄化処理技術としては、特許文献１として、被除去物が含まれる原水に磁性粒子を添加する磁性粒子供給部と、磁気フィルタを備え、前記磁性粒子供給部で添加された磁性粒子が付着して磁性を帯びた被除去物を前記磁気フィルタの空孔通過時に磁着して分離する磁気分離装置と、前記磁気フィルタの空孔よりも小さい空孔を有する多孔質の濾過膜を備え、前記磁気分離装置で除去されなかった原水中の被除去物を前記濾過膜で捕捉する濾過装置とを備える水処理装置が提案されている。
【０００７】
この特許文献１の水処理装置の場合、被除去物が含まれる原水に磁性粒子を添加し、磁性粒子が付着して磁性を帯びた被除去物を磁気フィルタの空孔通過時に磁着して分離するように構成したものであり、大量の被除去物を処理する場合磁気フィルタの詰まり等の問題を包含している。更には、海水中の生物がバラスト水タンクに注入された場合には、バラスト水タンクの底面、壁面等の生物付着の問題も考慮する必要がある。
【先行技術文献】
【特許文献】
【０００８】
【特許文献１】特開２０１０−２６９２００号公報
【考案の概要】
【考案が解決しようとする課題】
【０００９】
本考案が解決しようとする問題点は、一定地域の例えば微生物等のような生物の他の地域への拡散を防止し、他の地域における海洋の生態系への悪影響や漁業被害を防止し、更には、バラスト水タンク内壁面への生物付着も防止し得るような船舶バラスト水浄化処理システムが存在しない点である。
【課題を解決するための手段】
【００１０】
本考案の船舶バラスト水浄化処理システムは、船舶外から海水をバラスト水管路系統に導き、バラスト水管路系統に配置した処理装置を通過させることで浄化処理してバラスト水タンクに注水し、又は船舶のバラスト水タンクからバラスト水をバラスト水管路系統に導き、バラスト水管路系統に配置した処理装置を通過させることで浄化処理して船舶外に排水する船舶バラスト水浄化処理システムであって、前記処理装置は、海水又はバラスト水を通過させる管体内に、棒状の希土類系磁性体による永久磁石を隣り同士反対の磁極が向き合うように配列したマグネットアレイを、流れ方向に沿った状態で内装することにより構成されて、前記管体内を通過させるバラスト水の磁気処理を行なう磁気処理ユニットと、海水又はバラスト水を通過させる管体に超微細純銀粒子を担持担体各種素材表面に静電吸着により担持した超微細純銀微粒子担持担体各種素材により構成した白御影石純銀微粒子担持体を内装することにより構成されて前記管体内を通過させる海水又はバラスト水の抗菌処理を行う、前記白御影石純銀微粒子担持体を組み込んだ抗菌処理ユニットと、を有することを最も主要な特徴とする。
【考案の効果】
【００１１】
請求項１記載の考案によれば、船舶のバラスト水を処理装置の磁気処理ユニットにより処理し、かつ、白御影石純銀微粒子担持体を組み込んだ抗菌処理ユニットにより抗菌処理して排水するように構成し、又は船舶外からの海水を磁気処理ユニットにより処理し、かつ、白御影石純銀微粒子担持体を組み込んだ抗菌処理ユニットにより抗菌処理してバラスト水タンクに注水するようにしているので、白御影石純銀微粒子担持体の各種物性に起因する電気的エネルギーによる抗菌殺菌効果を発揮させることができ、また、浸透圧の上昇によって、壁面の微生物層の形成を抑制し、壁面への単細胞の生物、貝類の付着を防止することもでき、一定地域の微生物等のような生物の他の地域への拡散を防止することが可能となり、特に海洋の生態系への悪影響や漁業被害防止を実現でき、更には、バラスト水タンク内壁等への生物付着も防止することができる船舶バラスト水浄化処理システムを実現し提供することができる。
【００１２】
請求項２記載の考案によれば、請求項１記載の発明と同様な構成で、かつ、前記バラスト水管路系統は、船舶外からの海水又はバラスト水タンクからのバラスト水吸引用のポンプと、船舶外からの海水又はバラスト水タンクからのバラスト水を切り替えて前記ポンプに導く吸引用切替弁と、前記処理装置を経た海水をバラスト水タンクに導く又は処理装置を経たバラスト水を船舶外に導く排水用切替弁と、濾過ユニットと、を具備し、前記船舶の操舵室に吸引用切替弁、排水用切替弁の切替操作部を備える構成とし、前記切替操作部による切替操作によって、船舶のバラスト水を磁気処理ユニットにより処理し、かつ、白御影石純銀微粒子担持体を組み込んだ抗菌処理ユニットにより抗菌処理して排水したり、又は船舶外からの海水を磁気処理ユニットにより処理し、かつ、白御影石純銀微粒子担持体を組み込んだ抗菌処理ユニットにより抗菌処理してバラスト水タンクに注水したりすることを随時実行でき、白御影石純銀微粒子担持体の各種物性に起因する電気的エネルギーによる抗菌殺菌効果を発揮させることができ、また、浸透圧の上昇によって、壁面の微生物層の形成を抑制し、壁面への単細胞の生物、貝類の付着を防止することもでき、一定地域の微生物等のような生物の他の地域への拡散を防止することが可能となり、特に海洋の生態系への悪影響や漁業被害防止を実現でき、更には、バラスト水タンクへの生物付着も防止することができる船舶バラスト水浄化処理システムを実現し提供することができる。
【００１３】
請求項３記載の考案によれば、請求項２記載の考案と同様な構成とし、かつ、濾過ユニットを付加した構成の基に、請求項２記載の考案の場合と同様な効果を奏するとともに、バラスト水をより清浄にして排水することができる船舶バラスト水浄化処理システムを実現し提供することができる。
【図面の簡単な説明】
【００１４】
【図１】図１は本考案の実施例に係る船舶バラスト水浄化処理システムの概略構成図である。
【図２】図２は本実施例に係る船舶バラスト水浄化処理システムによって処理したバラスト水を海洋へ排水する構成を示す概略構成図である。
【図３】図３は本実施例に係る船舶バラスト水浄化処理システムにおける磁気処理ユニット及び抗菌処理ユニットを示す概略斜視図である。
【図４】図４は本実施例に係る船舶バラスト水浄化処理システムによって処理したバラスト水を海洋へ排水する構成を示す概略構成図である。
【図５】図５は本実施例に係る船舶バラスト水浄化処理システムによって処理した海水をバラスト水タンクに注水する構成を示す概略構成図である。
【考案を実施するための形態】
【００１５】
本考案は、一定地域の例えば微生物等のような生物の他の地域への拡散を防止し、他の地域の海洋の生態系への悪影響や漁業被害を防止し、更には、バラスト水タンク内壁面への生物付着も防止し得るような船舶バラスト水浄化処理システム提供するという目的を、船舶外から海水をバラスト水管路系統に導き、バラスト水管路系統に配置した処理装置を通過させることで浄化処理してバラスト水タンクに注水し、又は船舶のバラスト水タンクからバラスト水をバラスト水管路系統に導き、バラスト水管路系統に配置した処理装置を通過させることで浄化処理して船舶外に排水する船舶バラスト水浄化処理システムであって、前記バラスト水管路系統は、船舶外からの海水又はバラスト水タンクからのバラスト水吸引用のポンプと、船舶外からの海水又はバラスト水タンクからのバラスト水を切り替えて前記ポンプに導く第１切替弁と、前記処理装置を経た海水をバラスト水タンクに導く又は処理装置を経たバラスト水を船舶外に導く第２切替弁と、を具備し、前記船舶の操舵室に前記第１切替弁、第２切替弁をバラスト水タンクへの注水又は船舶外への放水に切り替える切替操作部を備え、前記処理装置は、前記バラスト水管路系統の途中に配置されるとともに、海水又はバラスト水を通過させる管体内に、棒状の希土類系磁性体による永久磁石を隣り同士反対の磁極が向き合うように配列したマグネットアレイを、流れ方向に沿った状態で内装することにより構成されて、前記管体内を通過させる海水又はバラスト水の磁気処理を行なう磁気処理ユニットと、海水又はバラスト水を通過させる管体に超微細純銀粒子を担持担体各種素材表面に静電吸着により担持した超微細純銀微粒子担持担体各種素材により構成した白御影石純銀微粒子担持体を内装することにより構成されて前記管体内を通過させる海水又はバラスト水の抗菌処理を行う、前記白御影石純銀微粒子担持体を組み込んだ抗菌処理ユニットと、を有する構成により実現した。
【実施例】
【００１６】
以下に本考案の実施例に係る船舶バラスト水浄化処理システムについて詳細に説明する。
本考案は、例えばタンカー、旅客船等のような船舶に限定されることなく、また、大型船舶か小型船舶に限定されることなく、バラスト水を排水する必要のある船舶に幅広く適用できる。
【００１７】
本考案の実施例に係る船舶バラスト水浄化処理システム１は、タンカー等の船舶２の船底や船腹の内部に設けた複数（例えば２０個）のバラスト水タンク３に貯留したバラスト水Ｗをバラスト水管路系統４の途中に設けた処理装置５で処理し、船舶２外の海洋へ排水したり、海水を処理装置５で処理しバラスト水タンク３に注水したりする態様としたものであり、図１に示すように、例えばタンカー等のような大型の船舶２の甲板６上に設置されるものである。
なお、実際の稼動上、前記処理装置５は、タンカー等の船舶２の船底や船腹の内部に設けた例えば２０個の各バラスト水タンク３の個々のバラスト水注水用口、バラスト水排水用口に配置されている。
【００１８】
前記バラスト水管路系統４は、船舶２外からの海水Ｗ０又はバラスト水タンク３からのバラスト水吸引用のポンプ２２と、船舶２外からの海水Ｗ０又はバラスト水タンク３からのバラスト水Ｗを切り替えて前記ポンプ２２に導く三方弁からなる第１切替弁３１と、前記処理装置５を経た海水Ｗ０をバラスト水タンク３に導く又は処理装置５を経たバラスト水Ｗを船舶２外に導く三方弁からなる第２切替弁３２と、前記第１切替弁３１に接続した海水吸引用パイプ３３及びバラスト水吸引用パイプ２１と、前記第２切替弁３２に接続したバラスト水注水用パイプ３４及び排水用パイプ３５と、を具備している。
【００１９】
また、本考案の実施例に係る船舶バラスト水浄化処理システム１は、前記船舶２の操舵室（図示せず）に、前記第１切替弁３１、第２切替弁３２をバラスト水タンク３への注水又は船舶２外への排水のいずれかにに切り替えるための注水スイッチ、排水スイッチを備えた切替操作部３６を備えている。
【００２０】
なお、前記バラスト水管路系統４の構成は、あくまで単なる一例で、かつ、概略構成であり、図１に示す例に限定されるものではなく、船舶２の大きさ等に応じて種々の変形が可能である。
【００２１】
前記処理装置５は、図２、図３に示すように、前記バラスト水管路系統４の途中に配置されるとともに、海水Ｗ０又はバラスト水Ｗを通過させる管体４１内に、棒状の希土類系磁性体による磁石（永久磁石）４３を隣り同士反対の磁極が向き合うように配列したマグネットアレイ４４を、流れ方向に沿った状態で内装することにより構成されて、前記管体４１内を通過させる海水Ｗ０又はバラスト水Ｗの磁気処理を行なう磁気処理ユニット１５と、海水Ｗ０又はバラスト水Ｗを通過させる管体５１に超微細純銀粒子を担持担体各種素材表面に静電吸着により担持した超微細純銀微粒子担持担体各種素材により構成した白御影石純銀微粒子担持体１７を内装することにより構成されて前記管体５１内を通過させる海水Ｗ０又はバラスト水Ｗの抗菌処理を行う、前記白御影石純銀微粒子担持体１７を組み込んだ抗菌処理ユニット１６と、前記バラスト水管路系統４を通過させる海水Ｗ０又はバラスト水Ｗの濾過ユニット２６と、を有している。
【００２２】
次に、前記磁気処理ユニット１５は、図３に示すように、例えばＳＵＳ材からなるフランジ４２付きの管体４１内に、棒状に形成した複数数本の希土類系磁性体からなる磁石４３からなるマグネットアレイ４４を、流れ方向に沿った状態で図示しない固定リング、フローガイドを用いて内装することにより構成している。
【００２３】
また、前記処理装置５は、図３に示すように、磁気処理ユニット１５と直列に白御影石純銀微粒子担持体１７を組み込んだ抗菌処理ユニット１６を組み込んでいる。
【００２４】
前記抗菌処理ユニット１６は、超微細純銀粒子を担持担体各種素材表面に静電吸着により担持した超微細純銀微粒子担持担体各種素材により構成した白御影石純銀微粒子担持体１７により構成している。
【００２５】
すなわち、前記抗菌処理ユニット１６は、例えば、ＳＵＳ材からなるフランジ５２付の管体５１内に、純銀の微細粒子５４（ナノ銀）（例えば１０乃至４０ナノメータ）を例えば静電吸着法により表面に担持させた板状の白御影石５３からなる抗菌材として機能する白御影石純銀微粒子担持体１７を海水Ｗ０又はバラスト水Ｗの流れ方向に沿って固定することにより構成している。前記抗菌処理ユニット１６は、白御影石純銀微粒子担持体１７の各種素材による優れた抗菌・殺菌効果を発揮する。
なお、図３に示す抗菌処理ユニット１６は、あくまで単なる一例であり、図示の例に限定されるものではない。
【００２６】
前記磁気処理ユニット１５は、管体４１内を通過させる海水Ｗ０又はバラスト水Ｗを磁気流体力学理論に基づき分子レベルで微粒子化、活性化することで、バラスト水Ｗの分子集団を、高エネルギー状態、小さいクラスターを有する構造に改変するものである。
【００２７】
この磁気処理ユニット１５によれば、磁石４３のＮ極とＳ極の磁極間を、これらが生成する磁場と直角方向に海水Ｗ０、又はバラスト水Ｗが流れた場合、ファラデーの法則により、バラスト水Ｗ中のイオン等の荷電粒子（カルシウム、マグネシウム）は、強い磁界が一定以上のスピードで通過することにより強いエネルギーを受けて＋、−の荷電粒子がそれぞれ反対方向に急激に移動するので、これらが周囲の分子や分子集団と衝突したり、或いは＋、−に分極している荷電粒子の場合は＋と−の荷電を持った２個の粒子に分裂する等して以下に述べる作用、効果をもたらす。
【００２８】
（１）海水Ｗ０又はバラスト水Ｗ中に存在するイオンからなる固形物質の結晶系の変化
海水Ｗ０又はバラスト水Ｗ中に存在する＋、−イオンの過飽和状態から生成する固形物は、磁界を通過する時、急激な移動現象を起こす（フレミングの左手の法則）。
この時、これらの物質は、結晶系がそれまでの立体的三次元結晶から繊維状の一次元結晶へと変化する。結晶系の変化したこれらの物質は、その後において配管や熱交換機のチューブの壁面にスケールとなって付着することがなく、水流の淀む箇所にスラッジ状にて沈殿する。
【００２９】
（２）海水Ｗ０又はバラスト水Ｗ中に存在する分極状態のイオンからなる固形物質の分裂による既存のスケールの破壊
水に溶けにくい炭酸カルシウムや珪酸塩（シリカ）は目に見えない微細な粒子で水中に存在し、それは１個の粒子に＋の部分と−の部分のある分極状態になっている。このような粒子が磁界を通過すると、＋が帯電している組織部分と、−が帯電している部分が逆方向に強い力を受け、そのために粒子が夫々＋、−に荷電した２つの粒子に分裂する（ローレンツ力）。
【００３０】
これらの粒子は、分裂の際に電位の高まった荷電粒子となり、既設設備での、すでに管壁などに付着しているスケール結晶との間で放電現象を起こし、これを破壊する。組織が破壊されたスケールは、水流によって壁面から剥ぎ取られ、繊維状の結晶系にて淀み箇所に沈殿し、除去されることとなる。
【００３１】
（３）既設配管における赤錆の黒錆化
例えば、空調の既設配管の老朽化で見られる配管内の真赤な錆こぶは、酸化鉄（酸化第二鉄，水酸化第二鉄）が炭酸カルシウムなどのスケール物質に覆われたかたちで形成されている。
【００３２】
上記（２）で説明したように、前記酸化鉄を覆っているスケール組織は、磁界を通過して『分裂した炭酸カルシウムや珪酸塩（シリカ）の＋や−の高電位となった荷電粒子』による放電作用によって、組織が壊れ、スケール物質は繊維状の結晶系となって水流によって剥ぎ取られるかたちで水中に流れ出るが、酸化鉄の方も覆っていたものが取り除かれることによりスケール物質と同様に水中に流れ出ることとなる。
【００３３】
そして、水中に流れ出した酸化鉄粒子は、放電作用の際などによって水中に生じる発生期状態の水素との反応で黒錆となり、淀みや水槽の底に沈殿する。
【００３４】
一方、配管内壁の表面に生成している赤錆は、水中に流れ出した酸化鉄のその後と同様に発生期状態の水素と反応し、配管内壁は黒錆による保護皮膜が育成され、配管寿命が大きく延びることになる。
【００３５】
（４）水の分子集団（クラスターの構造変化）
通常１２〜１４個位の水分子からなる分子集団が、イオン等の衝突によってより小さい６〜８個位の水分子からなる分子集団に変化し、それにより水の物性が変わり、（ａ）浸透圧の上昇、（ｂ）表面張力の減少などがみられる。
【００３６】
そして、浸透圧の上昇によって単細胞の生物（バイオフィルム、藻類、アミーバー、レジオネラ属菌等）の繁殖を抑制することができる。
【００３７】
また、水の分子集団が１２〜１４個から６〜８個位へと小さくなることによって水中に溶解している炭酸ガスや塩素ガスなどは空気中に放散する。
これらのガス類は、赤錆と並んで水をまずくしている要素であり、その分、水は美味しくなる。
【００３８】
次に、海水中から発生するフジツボ等の貝類の例えば船体壁面等への付着について考察すると、貝類が壁面へ付着する際には、これら壁面に附着する微生物の層を媒体としてこの層における海水中に浮遊している貝類の幼虫（プランクトンの一種）が固定し、そこで生育、成長することが判明している。
【００３９】
更に、壁面に付着してしまっている貝類については、既述した炭酸カルシウムスケールの破壊と同様なメカニズムで除去される。
【００４０】
次に、本実施例に係る船舶バラスト水浄化処理システム１の作用、効果について図４、図５を参照し、場合を分けて説明する。
【００４１】
（バラスト水を処理して海洋へ排水）
本実施例に係る船舶バラスト水浄化処理システム１において、バラスト水Ｗを処理して海洋へ排水する場合には、船舶２の操舵室に備えた切替操作部３６の排水スイッチを操作し、前記第１切替弁３１、第２切替弁３２に排水信号を送り、前記第１切替弁３１を図４に示すＢ側に、第２切替弁３２を図４に示すＢ１側に切り替える、
【００４２】
そして、前記ポンプ２２を作動することにより、バラスト水タンク３内からバラスト水吸引用パイプ２１を経てバラスト水Ｗを吸引し、前記第１切替弁３１、バラスト水管路系統４を通過させる。
【００４３】
このとき、バラスト水Ｗに対する前記処理装置５の磁気処理ユニット１５による磁気処理及び抗菌処理ユニット１６による抗菌処理が実行され、更に濾過ユニット２６による濾過処理が実行されて、排水用バラスト水Ｗ１に転換される。
【００４４】
この後、処理された排水用バラスト水Ｗ１は、前記第２切替弁３２、排水用パイプ３５を経て海洋に排水される。
なお、実際の稼動上、前記処理装置５は、タンカー等の船舶２の船底や船腹の内部に設けた例えば２０個の各バラスト水タンク３の個々のバラスト水注水用口、バラスト水排水用口に配置されているので、前記操舵室に備えた切替操作部３６の排水スイッチの操作により、例えば２０個の各バラスト水タンク３の内の単数又は複数の特定のバラスト水タンク３を選定しながら排水することができる。
【００４５】
このような船舶バラスト水浄化処理システム１によれば、前記バラスト水Ｗに対する前記磁気処理ユニット１５によるバラスト水Ｗの処理及び抗菌処理ユニット１６の超微細純銀微粒子の担持担担体各種素材の優れた抗菌殺菌効果がある処理によって、更には、前記濾過ユニット２６による濾過処理によって、バイオフィルム、藻類、アミーバー、レジオネラ属菌の発生を抑止でき、かつ、清浄化された排水用バラスト水Ｗ１として他国の港や海洋等へ排水することが可能となる。
【００４６】
この結果、一定地域の微生物等のような生物の他の地域への拡散を防止することが可能となり、特に海洋の生態系への悪影響や漁業被害防止を実現できる船舶バラスト水浄化処理システム１を実現し提供することができる。
【００４７】
また、磁気処理による浸透圧の上昇によって、壁面の微生物層の形成を抑制し、壁面への単細胞の生物、貝類の付着を防止することもできる。
【００４８】
（海水のバラスト水タンクへの注水）
本実施例に係る船舶バラスト水浄化処理システム１において、海水Ｗ０を処理してバラスト水タンク３へ注水する場合には、船舶２の操舵室に備えた切替操作部３６の注水スイッチを操作し、前記第１切替弁３１、第２切替弁３２に注水信号を送り、前記第１切替弁３１を図５に示すＡ側に、第２切替弁３２を図５に示すＡ１側に切り替える。
【００４９】
そして、前記ポンプ２２を作動することにより、海水Ｗ０を海水吸引用パイプ３３を経て前記第１切替弁３１、バラスト水管路系統４を通過させる。
【００５０】
このとき、バラスト水Ｗに対する前記処理装置５の磁気処理ユニット１５による磁気処理及び抗菌処理ユニット１６による抗菌処理が実行され、更に濾過ユニット２６による濾過処理が実行された後、前記前記第２切替弁３２、バラスト水注水用パイプ３４を経てバラスト水タンク３内に注水される。
なお、実際の稼動上、前記処理装置５は、タンカー等の船舶２の船底や船腹の内部に設けた例えば２０個の各バラスト水タンク３の個々のバラスト水注水用口、バラスト水排水用口に配置されているので、前記操舵室に備えた切替操作部３６の注水スイッチの操作により、例えば２０個の各バラスト水タンク３の内の単数又は複数の特定のバラスト水タンク３を選定しながら注水することができる。
【００５１】
このような船舶バラスト水浄化処理システム１によれば、前記海水Ｗ０に対する前記磁気処理ユニット１５による磁気処理による浸透圧の上昇によって壁面の微生物層の形成を抑制し、壁面への単細胞の生物、貝類の付着を防止する効果と濾過ユニット２６による濾過処理の効果とにより、バラスト水タンク３の内壁等への生物付着を防止することができ、更には、抗菌処理ユニット１６の超微細純銀微粒子の担持担担体各種素材の優れた抗菌殺菌効果がある処理をも行うことで、一定地域の微生物等のような生物の他の地域への拡散を防止することが可能となり、特に海洋の生態系への悪影響や漁業被害防止に貢献できる。
【００５２】
なお、上述した本実施例に係る船舶バラスト水浄化処理システム１においては、１個のバラスト水タンク３に適用した場合について説明したが、実際の船舶においては、バラスト水Ｗを処理して海洋へ排水する場合には、多数のバラスト水タンク３からのバラスト水吸引用パイプ２１を前記第１切替弁３１に接続して海洋へ排水する処理を実行し、また、海水Ｗ０のバラスト水タンク３を多数のバラスト水タンク３に注水する場合には、多数のバラスト水注水用パイプ３４を前記第２切替弁３２に接続して各バラスト水タンク３に注水する構成とするものである。
【００５３】
また、上述した本実施例に係る船舶バラスト水浄化処理システム１においては、単一のポンプ２２を用いた構成としたが、ポンプ２２の台数は２個、３個等とすることもでき、特に限定するものではない。
【００５４】
更に、船舶２の規模によっては、上述した船舶バラスト水浄化処理システム１を複数個所にわたって配置し、より多数のバラスト水タンク３に関する船舶バラスト水浄化処理システムを構築することも可能である。
【産業上の利用可能性】
【００５５】
本考案の船舶バラスト水浄化処理システムは、他の船舶のバラスト水を受け入れて浄化する専用船用として応用する等、種々広範に適用可能である。
【符号の説明】
【００５６】
１    船舶バラスト水浄化処理システム
２    船舶
３    バラスト水タンク
４    バラスト水管路系統
５    処理装置
６    甲板
１５    磁気処理ユニット
１６    抗菌処理ユニット
１７    白御影石純銀微粒子担持体
２１    バラスト水吸引用パイプ
２２    ポンプ
２５    排水用パイプ
２６    濾過ユニット
３１    第１切替弁
３２    第２切替弁
３３    海水吸引用パイプ
３４    バラスト水注水用パイプ
３５    排水用パイプ
３６    切替操作部
４１    管体
４２    フランジ
４３    磁石
４４    マグネットアレイ
５１    管体
５２    フランジ
５３    白御影石
５４    微細粒子
Ｗ    バラスト水
Ｗ０  海水
Ｗ１  排水用バラスト水
【図１】
0003170235.tif 000003
【図２】
0003170235.tif 000004
【図３】
0003170235.tif 000005
【図４】
0003170235.tif 000006
【図５】
0003170235.tif 000007